(57)【要約】【課題】可搬式作業台の天板に補助用のステージ板を連結する場合、ステージ板の連結をロックする外れ防止装置がロック状態にあるかを容易に判別でき、また、ロック操作もステージ板の上から容易に行えて安全性を向上できる。【解決手段】下方に向かって外側に傾斜する一対の主脚１間に天板２を取付けた可搬式作業台の、前記天板２の端に連結する補助用のステージ板３の連結構造において、前記ステージ板３の底面端部と天板２の底面端部との突合せ部に位置させて下方から係脱する外れ防止片４を水平方向に回転自在かつ上下方向にスライド自在にステージ板３の底面に配設し、前記外れ防止片３の操作部９をステージ板３上に出没自在に配設した。【選択図】        図１
2010077625.tif 000002
【特許請求の範囲】
【請求項１】
下方に向かって外側に傾斜する一対の主脚間に天板を取付けた可搬式作業台の、前記天板の端に連結する補助用のステージ板の連結構造において、前記ステージ板の底面端部と天板の底面端部との突合せ部に位置させて下方から係脱する外れ防止片を水平方向に回転自在かつ上下方向にスライド自在にステージ板の底面に配設し、前記外れ防止片の操作部をステージ板上に出没自在に配設したことを特徴とする可搬式作業台におけるステージ連結構造。
【請求項２】
前記外れ防止片と操作部とは軸で連結され、ステージ板内に凹所として形成した軸受けを貫通させて前記軸を下方に突出させ、操作部と軸受けとの間に操作部および外れ防止片を上方に付勢する圧縮コイルバネを弾装した請求項１記載の可搬式作業台におけるステージ連結構造。
【請求項３】
前記外れ防止片をロック位置に係止するストッパーをステージ板の底面に設けた請求項１または請求項２に記載の可搬式作業台におけるステージ板連結構造。
【発明の詳細な説明】
【技術分野】
【０００１】
本発明は、可搬式作業台のステージ連結構造に関するものである。
【背景技術】
【０００２】
可搬式作業台は、例えば図７に示すように、下方に向かって外側に傾斜する一対の主脚１間に天板２を取付けたものであるが、この作業台の端部に補助用のステージ板３を連結して使用する場合がある。
【０００３】
これは、図７のように壁面に沿って作業する場合、安定性を確保するために主脚１が傾斜していることから生じる天板２との隙間を埋めて作業しやすくするためであったり、また、図示は省略するが、複数の作業台を長さ方向に連結する場合、両作業台の天板間に生じる隙間を塞ぐためである。
【０００４】
かかるステージ板３の連結は、ステージ板３の端部底部から下方に向けて固定用のピンを突設し、一方、天板２の先端裏面に形成してあるピン孔を形成し、ステージ板３の端部を天板２の上に重ねてピン孔にピンを上方から差し込むことで行う。
【０００５】
ところで、このような上方からピンを差し込むだけのピン結合では、はずみでぬけて出るおそれがあり、これを防止するために外れ防止装置が取付けてある。
【０００６】
この外れ防止装置は、従来は、例えば図８、図９に示すようにステージ板３の下面に突設したもので、バネ５の弾力で上方向に付勢されている外れ防止片４で構成されるもので、この外れ防止片４をバネ５の弾力に抗して下方に引っ張って、外れ防止片４をステージ板３と天板２との接合箇所に跨るように回転させて下方からあてがいロック位置に係止してバネ５の弾力で押さえるようにしている。
【発明の開示】
【発明が解決しようとする課題】
【０００７】
外れ防止装置がステージ板３の裏面に配設されており、外れ防止片４をロック位置に係止するための操作もステージ板３の裏面で行うため、不慣れな者が作業台の組立てを行ったりすると、外れ防止装置に気付かなかったり、外れ防止装置をロック状態にするのを忘れたりして、ロックされないままの状態で作業台が使用されるおそれがある。
【０００８】
そして、外れ防止装置がロック状態にあるか否かはステージ板３の裏面を覗き込まないと判明できないため、点検しにくく、ロックされていない危険な状態が放置されやすい。
【０００９】
本発明は前記従来例の不都合を解消するものとして、可搬式作業台の天板に補助用のステージ板を連結する場合、ステージ板の連結をロックする外れ防止装置がロック状態にあるかを容易に判別でき、また、ロック操作もステージ板の上から容易に行えて安全性を向上できる可搬式作業台におけるステージ連結構造を提供するものである。
【課題を解決するための手段】
【００１０】
請求項１記載の本発明は、下方に向かって外側に傾斜する一対の主脚間に天板を取付けた可搬式作業台の、前記天板の端に連結する補助用のステージ板の連結構造において、前記ステージ板の底面端部と天板の底面端部との突合せ部に位置させて下方から係脱する外れ防止片を水平方向に回転自在かつ上下方向にスライド自在にステージ板の底面に配設し、前記外れ防止片の操作部をステージ板上に出没自在に配設したことを要旨とするものである。
【００１１】
請求項１記載の本発明によれば、外れ防止片の操作部をステージ板上に突出させることで、この操作部をステージ板上で回動して下方に押すだけで外れ防止片をロック位置に係止できる。このように外れ防止片のロック操作をステージ板上で行えるから操作性がよく、ロック忘れを防止できる。
【００１２】
請求項２記載の本発明は、前記外れ防止片と操作部とは軸で連結され、ステージ板内に凹所として形成した軸受けを貫通させて前記軸を下方に突出させ、操作部と軸受けとの間に操作部および外れ防止片を上方に付勢する圧縮コイルバネを弾装したことを要旨とするものである。
【００１３】
請求項２記載の本発明によれば、操作部および外れ防止片はバネにより上方に付勢されているから、ロックされていない状態では、操作部がステージ板上に突出している。よって、この突出部を認識することで、また、突出部がステージ板上に存在していては作業できないから、外れ防止がなされていないことを容易に判明できる。
【００１４】
請求項３記載の本発明は、前記外れ防止片をロック位置に係止するストッパーをステージ板の底面に設けたことを要旨とするものである。
【００１５】
請求項３記載の本発明によれば、外れ防止片は、ロック位置まで回動すると、ストッパーによりそれ以上の回動が阻止されるから、操作部がステージ板の上部に存在して外れ防止片の位置を直接目視できなくても、外れ防止片がロック位置まで回動したことがわかる。
【発明の効果】
【００１６】
以上述べたように本発明の可搬式作業台におけるステージ連結構造は、作業台の天板にステージ板を連結した場合、外れ防止装置のロックをステージ板に突出する操作部で操作でき、また、操作部をステージ板に回転させながら押し込むだけの操作でよいから、操作性がよく、ロックしたか否かも操作部の出没状態によってステージ板から一目で判別でき、ロックのし忘れを防止でき、安全性を向上できる。
【発明を実施するための最良の形態】
【００１７】
以下、図面について本発明の実施形態を詳細に説明する。図１は本発明の可搬式作業台のステージ連結構造の実施形態を示すロック状態の正面図、図２は同上ステージ板の平面図、図３は要部である外れ防止装置の解除状態の正面図、図４は同上側面図、図５は同上外れ防止装置のロック状態の側面図で、本発明の連結構造は、図７に示すような下方に向かって外側に傾斜する一対の主脚１間に天板２を取付けた可搬式作業台の、前記天板２の端に連結する補助用のステージ板３の連結構造におけるものである。
【００１８】
ステージ板３は、図２に示すように本体３ａの連結側の端部両側に連結突片６を水平に突設し、この連結突片６の下部から連結ピン７を突設した。
【００１９】
前記本体３ａの連結側の端部近傍の中央位置に、外れ防止装置８を設ける。この外れ防止装置８は、基本構造として図６にも示すように、ステージ板３の底面端部と天板２の底面端部との突合せ部に下方から係脱し、水平方向に回転自在かつ上下方向にスライド自在に配設された外れ防止片４と、ステージ板３上に出没自在に設けた、この外れ防止片４の操作部９と、外れ防止片４と操作部９とを連結する軸１０とで構成する。
【００２０】
前記外れ防止片４は、下向きのチャンネル形状に形成し、操作部９の水平方向の回動によって軸１０を介して長さ方向が水平に回動し、また、操作部９の上下方向のスライドによって軸１０を介して上下にスライドするように構成されている。
【００２１】
操作部９は、一例として円筒体の摘み９ａの中央直径方向に横杆９ｂを架設したもので、この横杆９ｂの下面から前記軸１０が突設される。
【００２２】
ステージ板３の本体３ａに、前記操作部９の軸受け１１を取付ける。この軸受け１１は、操作部９が没入する凹所として、逆ハット形に形成したもので、ハット本体部分を本体３ａ内に没入させて鍔部を本体３ａ上にビスなどで固定した。
【００２３】
そして、軸受け１１には前記軸１０の貫通孔を形成しておき、この貫通孔から下方に突出した部分の軸１０の下端に取付けられた外れ防止片４は軸受け１１の下方に配設されることになる。
【００２４】
操作部９の横杆９ｂの下面と軸受け１１の本体の底部上面との間で、軸１０に圧縮コイルバネ１２を巻回し、操作部９と外れ防止片４とを上方への引上げ方向に付勢させる。
【００２５】
図中１３は外れ防止片４をロック位置に係止するストッパーを示し、正面Ｌ字形の金物で、軸受け１１の下部に取付けられ、Ｌ字形の端部から係止片１３ａが下方に突出されている。
【００２６】
次に、ステージ板３を天板２に接合して連結した状態で、ステージ板３の外れを防止する方法を説明する。図３、図４はロックする前の解除状態であり、この状態では圧縮コイルバネ１２の弾力で操作部９および外れ防止４が上方に押し上げられ、操作部９の円筒状の摘み９ａがステージ板３の本体３ａの上に突出し、外れ防止片４は軸受け１１の底部の下面に当接している。
【００２７】
この状態ではステージ板３の上方に摘み９ａが突出しているから、この突出部負を看取することでロックされていないことがひと目で容易にわかる。また、この状態では摘み９ａによる突出部分が邪魔になって作業できないから、ロックされていないことを摘み９ａの存在がロック状態にないことを作業者に知らせることができる。
【００２８】
ステージ板３を天板２にロックするには、前記の状態から摘み９ａをつかんでこれを水平方向に回動しながら下方に押し込む。これにより、図１、図５に示すように圧縮コイルバネ１２の弾力に抗して操作部９が軸受け１１内に没入し、軸１０が下方に移動し、摘み９ａの上面がステージ板３の本体３ａと同一平面に位置して本体３ａから突出しなくなる。
【００２９】
また、軸１０の下降と回動によってその先端に取付けてある外れ防止片４も軸受け１１の底部から離間しながら水平に回動し、ストッパー１３の下部に当接し、外れ防止片４の側部が係止片１３ａに当接することでそれ以上の回動が阻止されるとともに上方への移動も阻止される。
【００３０】
よって、摘み９ａもそれ以上の回動が阻止されて、これにより外れ防止片４がロック位置に位置したことがわかる。この状態では外れ防止片４は、図１に示すように天板２とステージ板３の両方に跨ってその下面に当接しているから、ステージ板３の浮き上がりを防止でき、これが外れることはない。
【００３１】
そして、外れ防止片４にはこの状態でもなお圧縮コイルバネ１２の弾力によって上に引上げられる力が作用しているから、バネ圧による摩擦により外れ防止の位置に係止されそのままでは回転しないから、外れ防止機能が発揮される。
【００３２】
ロックを解除するには、摘み９ａを前記と反対方向に回動すれば、外れ防止片４がストッパー１３の係止片１３ａから離間し、圧縮コイルバネ１２の弾力によって操作部９と外れ防止片４とが引上げられる。この場合、摘み９ａは軸受け１１内に没入しているが、横杆９ｂを掴むことで操作部９を回転させることができる。
【００３３】
なお、操作部９の形状は前記実施形態に限定されるものではなく、直線棒状、十字形など、没入位置からでも軸受け１１内に手を差し入れて回動操作可能なものであればよい。
【００３４】
また、外れ防止片４のロック位置への移動操作は前記のように摘み９ａをステージ板３上で回動し押し込むことで行うが、ステージ板３の下方で外れ防止片４を直接回動し引き下げる操作を行うことも可能である。
【００３５】
さらに前記実施形態では、作業台に壁面などとの隙間に配設するステージ板３を連結する場合を例にとって説明したが、これに限定されるものではなく、例えば２台の作業台間にブリッジを掛け渡した場合、ブリッジと天板との連結部にも適用できる。
【図面の簡単な説明】
【００３６】
【図１】本発明の可搬式作業台におけるステージ連結構造の実施形態を示すロック状態の正面図である。
【図２】本発明の可搬式作業台におけるステージ連結構造の実施形態を示すステージ板の平面図である。
【図３】本発明の可搬式作業台におけるステージ連結構造の実施形態を示す要部である外れ防止装置の解除状態の正面図である。
【図４】本発明の可搬式作業台におけるステージ連結構造の実施形態を示す要部である外れ防止装置の解除状態の側面図である。
【図５】本発明の可搬式作業台におけるステージ連結構造の実施形態を示すロック状態の側面図である。
【図６】本発明の可搬式作業台におけるステージ連結構造の実施形態を示す要部である外れ防止装置の説明図である。
【図７】可搬式作業台にステージ板を連結した状態の正面図である。
【図８】従来の外れ防止装置の説明図である。
【図９】従来の外れ防止装置を備えたステージ板の平面図である。
【符号の説明】
【００３７】
１  主脚                        ２  天板
３  ステージ板                  ３ａ  本体
４  外れ防止片                  ５  バネ
６  連結突片                    ７  連結ピン
８  外れ防止装置                ９  操作部
９ａ  摘み                      ９ｂ  横杆
１０  軸                        １１  軸受け
１２  圧縮コイルバネ            １３  ストッパー
１３ａ  係止片
【図１】
2010077625.tif 000003
【図２】
2010077625.tif 000004
【図３】
2010077625.tif 000005
【図４】
2010077625.tif 000006
【図５】
2010077625.tif 000007
【図６】
2010077625.tif 000008
【図７】
2010077625.tif 000009
【図８】
2010077625.tif 000010
【図９】
2010077625.tif 000011